(57)【要約】【課題】放送番組に対応するチャンネルを、より正確にジャンル毎に表示することができる放送受信機及び放送受信機のリモコン装置を実現する。【解決手段】放送番組に対応するチャンネルを選択するための入力を行うリモコン３０が、放送受信機１００において放送信号に含まれるジャンル識別データや、放送番組データ中のキーワードに基づいて、放送番組のジャンル毎に分類された多チャンネルに関するチャンネルデータを取得するとともに、そのチャンネルデータに基づきチャンネルキーをジャンル毎にタッチパネルである操作パネル３１に表示することで、そのチャンネルキーを操作入力することによって、放送受信機１００において放映される放送番組を切り替えることを可能にする構成にした。【選択図】図１
2006352773.tif 000002
【特許請求の範囲】
【請求項１】
多チャンネルの放送に関する放送信号を受信する受信部と、
前記受信部が受信した前記放送信号に応じた放送番組を放映する放送番組出力部と、
前記多チャンネルから所望するチャンネルを選択するためのチャンネルキーを表示するチャンネル表示手段を有し、そのチャンネル表示手段に表示されるチャンネルキーを選択することにより、選択したチャンネルに対応する放送番組を前記放送番組出力部が放映するように切り替えるためのリモコン装置と、を備える放送受信機において、
前記受信部が受信した前記放送信号に含まれるジャンル識別データ及び／又は放送番組データ中のキーワードに基づき、前記多チャンネルを放送番組のジャンル毎に分類するジャンル分類制御手段と、
前記ジャンル分類制御手段がジャンル毎に分類した前記多チャンネルに関するチャンネルデータの内、前記リモコン装置において指定されたジャンルに対応するチャンネルデータを、前記リモコン装置に出力するチャンネルデータ出力手段と、
を備えることを特徴とする放送受信機。
【請求項２】
多チャンネルの放送に関する放送信号を受信する受信部と、
前記受信部が受信した前記放送信号に応じた放送番組を放映する放送番組出力部と、
前記多チャンネルから所望するチャンネルを選択するためのチャンネルキーを表示するチャンネル表示手段を有し、そのチャンネル表示手段に表示されるチャンネルキーを選択することにより、選択したチャンネルに対応する放送番組を前記放送番組出力部が放映するように切り替えるためのリモコン装置と、を備える放送受信機において、
前記受信部が受信した前記放送信号に基づき、前記多チャンネルを放送番組のジャンル毎に分類するジャンル分類制御手段と、
前記ジャンル分類制御手段がジャンル毎に分類した前記多チャンネルに関するチャンネルデータを、前記リモコン装置に出力するチャンネルデータ出力手段と、
を備えることを特徴とする放送受信機。
【請求項３】
前記ジャンル分類制御手段は、前記放送信号に含まれるジャンル識別データに基づき、前記多チャンネルを放送番組のジャンル毎に分類することを特徴とする請求項２に記載の放送受信機。
【請求項４】
前記ジャンル分類制御手段は、前記放送信号に含まれる放送番組データ中のキーワードに基づき、前記多チャンネルを放送番組のジャンル毎に分類することを特徴とする請求項２又は３に記載の放送受信機。
【請求項５】
前記チャンネルデータ出力手段は、前記リモコン装置において指定されたジャンルに対応するチャンネルデータを、前記リモコン装置に出力することを特徴とする請求項２〜４の何れか一項に記載の放送受信機。
【請求項６】
多チャンネルの放送に関する放送信号に基づいて様々な放送番組を放映する放送受信機が放映する放送番組を切り替えるために、放送番組に対応するチャンネルを選択する放送受信機のリモコン装置であって、
前記放送受信機において前記放送信号に含まれるジャンル識別データ及び／又は放送番組データ中のキーワードに基づき、放送番組のジャンル毎に分類された前記多チャンネルに関するチャンネルデータの内、当該リモコン装置において指定したジャンルに対応するチャンネルデータの入力を受け付けるチャンネルデータ入力手段と、
前記チャンネルデータ入力手段に入力された前記チャンネルデータに基づき、放送番組に対応するチャンネルをジャンル毎に表示するチャンネル表示手段と、
前記チャンネル表示手段に表示される前記チャンネルに対する操作入力に応じて、前記
放送受信機において放映される放送番組を切り替えるための信号を送信する放送番組切替信号送信制御手段と、
を備えることを特徴とする放送受信機のリモコン装置。
【請求項７】
多チャンネルの放送に関する放送信号に基づいて様々な放送番組を放映する放送受信機が放映する放送番組を切り替えるために、放送番組に対応するチャンネルを選択する放送受信機のリモコン装置であって、
前記放送受信機において放送番組のジャンル毎に分類された前記多チャンネルに関するチャンネルデータの入力を受け付けるチャンネルデータ入力手段と、
前記チャンネルデータ入力手段に入力された前記チャンネルデータに基づき、放送番組に対応するチャンネルをジャンル毎に表示するチャンネル表示手段と、
前記チャンネル表示手段に表示される前記チャンネルに対する操作入力に応じて、前記放送受信機において放映される放送番組を切り替えるための信号を送信する放送番組切替信号送信制御手段と、
を備えることを特徴とする放送受信機のリモコン装置。
【請求項８】
前記チャンネルデータ入力手段に入力されるチャンネルデータは、前記放送信号に含まれるジャンル識別データに基づき、前記多チャンネルが放送番組のジャンル毎に分類されたチャンネルデータであることを特徴とする請求項７に記載の放送受信機のリモコン装置。
【請求項９】
前記チャンネルデータ入力手段に入力されるチャンネルデータは、前記放送信号に含まれる放送番組データ中のキーワードに基づき、前記多チャンネルが放送番組のジャンル毎に分類されたチャンネルデータであることを特徴とする請求項７又は８に記載の放送受信機のリモコン装置。
【請求項１０】
前記チャンネルデータ入力手段に入力されるチャンネルデータは、当該リモコン装置において指定したジャンルに対応するチャンネルデータが前記放送受信機から出力されたものであることを特徴とする請求項７〜９の何れか一項に記載の放送受信機のリモコン装置。
【発明の詳細な説明】
【技術分野】
【０００１】
本発明は、放送受信機及び放送受信機のリモコン装置に関する。
【背景技術】
【０００２】
従来、テレビなどの放送受信機により受信可能な情報媒体としてアナログ放送、ＢＳデジタル放送、ＣＳデジタル放送、ケーブル放送などがある。近年では地上波デジタル放送も加わり益々受信できるチャンネルの数が多くなり、ユーザにとっては多種、多様な放送から好みに合ったチャンネルを選択し、その放送番組を楽しむことが可能になっている。
【０００３】
その反面、チャンネル数の増加に伴い、そのチャンネル選択に使用するリモートコントロール送信装置（以下、リモコン）などに設ける操作ボタンやスイッチ、キーの数が多くなることによって、そのリモコンの操作性が悪化してしまうことがあるので、様々な対策が取られている。
【０００４】
例えば、放送受信機において受信可能な放送番組を、その放送内容に応じてジャンル別に分類して、所望するジャンル毎に放送番組に対応するチャンネルを表示するように切り替えることを可能にしたリモコンが知られている（例えば、特許文献１、特許文献２参照。）。
【０００５】
そして、ジャンル毎に表示されたチャンネルに対応するスイッチやキーを押下することによって、そのチャンネルを選択することを可能とすることにより、ジャンルによって絞り込んだチャンネルから所望するチャンネルを選択しやすくなっている。
【特許文献１】特開２００２−３１４８９３号公報
【特許文献２】特開平８−２６５８７１号公報
【発明の開示】
【発明が解決しようとする課題】
【０００６】
しかしながら、上記従来技術の場合、放送番組をジャンル別に分類する具体的方法の記載がなく不明であり、また、多岐な分野にわたる様々な放送番組をジャンル別に分類することは困難であるため、放送番組に対応するチャンネルをジャンル別に表示するためには煩雑な処理を要するという問題があった。
【０００７】
本発明の目的は、放送番組に対応するチャンネルを、より正確にジャンル毎に表示することができる放送受信機及び放送受信機のリモコン装置を提供することである。
【課題を解決するための手段】
【０００８】
以上の課題を解決するため、請求項１記載の発明は、多チャンネルの放送に関する放送信号を受信する受信部と、前記受信部が受信した前記放送信号に応じた放送番組を放映する放送番組出力部と、前記多チャンネルから所望するチャンネルを選択するためのチャンネルキーを表示するチャンネル表示手段を有し、そのチャンネル表示手段に表示されるチャンネルキーを選択することにより、選択したチャンネルに対応する放送番組を前記放送番組出力部が放映するように切り替えるためのリモコン装置と、を備える放送受信機において、前記受信部が受信した前記放送信号に含まれるジャンル識別データ及び／又は放送番組データ中のキーワードに基づき、前記多チャンネルを放送番組のジャンル毎に分類するジャンル分類制御手段と、前記ジャンル分類制御手段がジャンル毎に分類した前記多チャンネルに関するチャンネルデータの内、前記リモコン装置において指定されたジャンルに対応するチャンネルデータを、前記リモコン装置に出力するチャンネルデータ出力手段と、を備えることを特徴とする。
【０００９】
請求項２記載の発明は、多チャンネルの放送に関する放送信号を受信する受信部と、前記受信部が受信した前記放送信号に応じた放送番組を放映する放送番組出力部と、前記多チャンネルから所望するチャンネルを選択するためのチャンネルキーを表示するチャンネル表示手段を有し、そのチャンネル表示手段に表示されるチャンネルキーを選択することにより、選択したチャンネルに対応する放送番組を前記放送番組出力部が放映するように切り替えるためのリモコン装置と、を備える放送受信機において、前記受信部が受信した前記放送信号に基づき、前記多チャンネルを放送番組のジャンル毎に分類するジャンル分類制御手段と、前記ジャンル分類制御手段がジャンル毎に分類した前記多チャンネルに関するチャンネルデータを、前記リモコン装置に出力するチャンネルデータ出力手段と、を備えることを特徴とする。
【００１０】
請求項３記載の発明は、請求項２に記載の放送受信機において、前記ジャンル分類制御手段は、前記放送信号に含まれるジャンル識別データに基づき、前記多チャンネルを放送番組のジャンル毎に分類することを特徴とする。
【００１１】
請求項４記載の発明は、請求項２又は３に記載の放送受信機において、前記ジャンル分類制御手段は、前記放送信号に含まれる放送番組データ中のキーワードに基づき、前記多チャンネルを放送番組のジャンル毎に分類することを特徴とする。
【００１２】
請求項５記載の発明は、請求項２〜４の何れか一項に記載の放送受信機において、前記チャンネルデータ出力手段は、前記リモコン装置において指定されたジャンルに対応するチャンネルデータを、前記リモコン装置に出力することを特徴とする。
【００１３】
請求項６記載の発明は、多チャンネルの放送に関する放送信号に基づいて様々な放送番組を放映する放送受信機が放映する放送番組を切り替えるために、放送番組に対応するチャンネルを選択する放送受信機のリモコン装置であって、前記放送受信機において前記放送信号に含まれるジャンル識別データ及び／又は放送番組データ中のキーワードに基づき、放送番組のジャンル毎に分類された前記多チャンネルに関するチャンネルデータの内、当該リモコン装置において指定したジャンルに対応するチャンネルデータの入力を受け付けるチャンネルデータ入力手段と、前記チャンネルデータ入力手段に入力された前記チャンネルデータに基づき、放送番組に対応するチャンネルをジャンル毎に表示するチャンネル表示手段と、前記チャンネル表示手段に表示される前記チャンネルに対する操作入力に応じて、前記放送受信機において放映される放送番組を切り替えるための信号を送信する放送番組切替信号送信制御手段と、を備えることを特徴とする。
【００１４】
請求項７記載の発明は、多チャンネルの放送に関する放送信号に基づいて様々な放送番組を放映する放送受信機が放映する放送番組を切り替えるために、放送番組に対応するチャンネルを選択する放送受信機のリモコン装置であって、前記放送受信機において放送番組のジャンル毎に分類された前記多チャンネルに関するチャンネルデータの入力を受け付けるチャンネルデータ入力手段と、前記チャンネルデータ入力手段に入力された前記チャンネルデータに基づき、放送番組に対応するチャンネルをジャンル毎に表示するチャンネル表示手段と、前記チャンネル表示手段に表示される前記チャンネルに対する操作入力に応じて、前記放送受信機において放映される放送番組を切り替えるための信号を送信する放送番組切替信号送信制御手段と、を備えることを特徴とする。
【００１５】
請求項８記載の発明は、請求項７に記載の放送受信機のリモコン装置において、前記チャンネルデータ入力手段に入力されるチャンネルデータは、前記放送信号に含まれるジャンル識別データに基づき、前記多チャンネルが放送番組のジャンル毎に分類されたチャンネルデータであることを特徴とする。
【００１６】
請求項９記載の発明は、請求項７又は８に記載の放送受信機のリモコン装置において、前記チャンネルデータ入力手段に入力されるチャンネルデータは、前記放送信号に含まれる放送番組データ中のキーワードに基づき、前記多チャンネルが放送番組のジャンル毎に分類されたチャンネルデータであることを特徴とする。
【００１７】
請求項１０記載の発明は、請求項７〜９の何れか一項に記載の放送受信機のリモコン装置において、前記チャンネルデータ入力手段に入力されるチャンネルデータは、当該リモコン装置において指定したジャンルに対応するチャンネルデータが前記放送受信機から出力されたものであることを特徴とする。
【発明の効果】
【００１８】
請求項１記載の発明によれば、放送受信機は、受信可能な多チャンネルの放送に関する放送信号に含まれるジャンル識別データや、放送番組データ中のキーワードに基づき、多チャンネルを放送番組のジャンル毎に分類することができ、そのジャンル毎に分類した多チャンネルに関するチャンネルデータを、チャンネルに対応する放送番組の放映に切り替えるためのリモコン装置に出力することができる。
【００１９】
そして、リモコン装置は、そのジャンル毎に分類された多チャンネルに関するチャンネルデータに基づき、ジャンル別にチャンネルキーを表示することが可能になる。
【００２０】
特に、放送受信機は、多チャンネルを放送番組のジャンル毎に分類するために放送信号に付加されたジャンル識別データや、放送信号に付加されている放送番組データであるＥＰＧ（Electronic Program Guide；電子番組案内）などに含まれているキーワードに基づき、多チャンネルを放送番組のジャンル毎により正確に分類することができるので、この放送受信機は、放送番組に対応するチャンネルを、より正確にジャンル毎に表示することができる。
【００２１】
よって、放送受信機は、ジャンル毎に好適に分類したチャンネルデータに基づき、放送番組に対応するチャンネルをジャンル別に、より正確にリモコン装置に表示することができる。
【００２２】
また、放送受信機は、ジャンル毎に分類した多チャンネルに関するチャンネルデータの内、リモコン装置において指定されたジャンルに対応するチャンネルデータを、リモコン装置に出力することができる。
【００２３】
つまり、所望するジャンルをリモコン装置において指定することによって、その指定したジャンルに対応するチャンネルデータがリモコン装置に出力されることとなるので、放送受信機は、ユーザが所望するジャンル別に放送番組に対応するチャンネルをリモコン装置に表示することができる。
【００２４】
また、この放送受信機は、多チャンネルを放送番組のジャンル毎に分類処理して得られたチャンネルデータをリモコン装置に送ることで、ジャンル毎に分類されたチャンネルキーを、ジャンル別にリモコン装置に表示することができるので、一般的に小型であるリモコン装置における処理負担を軽減することができる。
【００２５】
請求項２記載の発明によれば、放送受信機は、受信可能な多チャンネルの放送に関する放送信号に基づき、多チャンネルを放送番組のジャンル毎に分類することができ、そのジャンル毎に分類した多チャンネルに関するチャンネルデータを、チャンネルに対応する放送番組の放映に切り替えるためのリモコン装置に出力することができる。
【００２６】
そして、リモコン装置は、そのジャンル毎に分類された多チャンネルに関するチャンネルデータに基づき、ジャンル別にチャンネルキーを表示することが可能になる。
【００２７】
特に、この放送受信機は、多チャンネルを放送番組のジャンル毎に分類処理して得られたチャンネルデータをリモコン装置に送ることで、ジャンル毎に分類されたチャンネルキーを、ジャンル別にリモコン装置に表示することができるので、一般的に小型であるリモ
コン装置における処理負担を軽減することができる。
【００２８】
よって、放送受信機は、ジャンル毎に好適に分類したチャンネルデータに基づき、放送番組に対応するチャンネルを、より正確にリモコン装置に表示することができる。
【００２９】
請求項３記載の発明によれば、請求項２に記載の発明と同様の効果が得られることは無論のこと、放送受信機は、放送信号に含まれるジャンル識別データに基づき、多チャンネルを放送番組のジャンル毎に分類することができる。
【００３０】
つまり、多チャンネルを放送番組のジャンル毎に分類するために、放送信号に付加されたジャンル識別データに基づき、放送受信機は多チャンネルを放送番組のジャンル毎により正確に分類することが可能になるので、この放送受信機は、放送番組に対応するチャンネルを、より正確にジャンル毎に表示することができる。
【００３１】
請求項４記載の発明によれば、請求項２又は３に記載の発明と同様の効果が得られることは無論のこと、放送受信機は、放送信号に含まれる放送番組データ中のキーワードに基づき、多チャンネルを放送番組のジャンル毎に分類することができる。
【００３２】
つまり、放送信号に付加されている放送番組データである、例えば、ＥＰＧ（Electronic Program Guide；電子番組案内）などに含まれているキーワードに基づき、放送受信機は多チャンネルを放送番組のジャンル毎により正確に分類することが可能になるので、この放送受信機は、放送番組に対応するチャンネルを、より正確にジャンル毎に表示することができる。
【００３３】
請求項５記載の発明によれば、請求項２〜４の何れか一項に記載の発明と同様の効果が得られることは無論のこと、放送受信機は、リモコン装置において指定されたジャンルに対応するチャンネルデータを、リモコン装置に出力することができる。
【００３４】
つまり、所望するジャンルをリモコン装置において指定することによって、その指定したジャンルに対応するチャンネルデータがリモコン装置に出力されることとなるので、放送受信機は、ユーザが所望するジャンル別に放送番組に対応するチャンネルをリモコン装置に表示することができる。
【００３５】
請求項６記載の発明によれば、放送受信機のリモコン装置は、放送受信機が受信可能な多チャンネルの放送に関する放送信号に含まれるジャンル識別データや、放送番組データ中のキーワードに基づいて、その放送受信機において放送番組のジャンル毎に分類された多チャンネルに関するチャンネルデータの入力を受け付けることによりチャンネルデータを取得することができ、その取得したチャンネルデータに基づき、チャンネル表示手段に放送番組に対応するチャンネルをジャンル毎に表示することができる。そして、そのチャンネル表示手段に表示されるチャンネルに対する操作入力に応じて、放送受信機において放映される放送番組を切り替えるための信号を送信することができる。
【００３６】
つまり、放送受信機のリモコン装置は、放送受信機においてジャンル毎に分類された多チャンネルに関するチャンネルデータを取得することによって、チャンネルや放送番組を選択するためのチャンネルをジャンル別に表示することが可能になる。
【００３７】
特に、放送受信機のリモコン装置は、多チャンネルを放送番組のジャンル毎に分類するために放送信号に付加されたジャンル識別データや、放送信号に付加されている放送番組データであるＥＰＧ（Electronic Program Guide；電子番組案内）などに含まれているキーワードに基づき、放送受信機においてより正確にジャンル毎に分類された多チャンネルに関するチャンネルデータによって、放送番組に対応するチャンネルをより正確にジャンル毎に表示することができる。
【００３８】
よって、放送受信機のリモコン装置は、ジャンル毎に好適に分類されたチャンネルデータに基づき、放送番組に対応するチャンネルを、より正確に表示することができる。
【００３９】
また、放送受信機のリモコン装置は、ジャンル毎に分類された多チャンネルに関するチャンネルデータの内、リモコン装置において指定したジャンルに対応するチャンネルデータを、放送受信機から取得することができる。
【００４０】
つまり、所望するジャンルをリモコン装置において指定することによって、その指定したジャンルに対応するチャンネルデータが放送受信機から入力されることとなるので、放送受信機のリモコン装置は、ユーザが所望するジャンル別に放送番組に対応するチャンネルを表示することができる。
【００４１】
また、この放送受信機のリモコン装置は、多チャンネルを放送番組のジャンル毎に分類処理して得られたチャンネルデータを放送受信機から取得することで、ジャンル毎に分類されたチャンネルを、ジャンル別にリモコン装置に表示することができるので、一般的に小型であるリモコン装置における処理負担を軽減することができる。
【００４２】
請求項７記載の発明によれば、放送受信機のリモコン装置は、放送受信機が受信可能な多チャンネルの放送に関する放送信号に基づいて、その放送受信機において放送番組のジャンル毎に分類された多チャンネルに関するチャンネルデータの入力を受け付けることによりチャンネルデータを取得することができ、その取得したチャンネルデータに基づき、チャンネル表示手段に放送番組に対応するチャンネルをジャンル毎に表示することができる。そして、そのチャンネル表示手段に表示されるチャンネルに対する操作入力に応じて、放送受信機において放映される放送番組を切り替えるための信号を送信することができる。
【００４３】
つまり、放送受信機のリモコン装置は、放送受信機においてジャンル毎に分類された多チャンネルに関するチャンネルデータを取得することによって、チャンネルや放送番組を選択するためのチャンネルをジャンル別に表示することが可能になる。
【００４４】
特に、この放送受信機のリモコン装置は、多チャンネルを放送番組のジャンル毎に分類処理して得られたチャンネルデータを放送受信機から取得することで、ジャンル毎に分類されたチャンネルを、ジャンル別にリモコン装置に表示することができるので、一般的に小型であるリモコン装置における処理負担を軽減することができる。
【００４５】
よって、放送受信機のリモコン装置は、ジャンル毎に好適に分類されたチャンネルデータに基づき、放送番組に対応するチャンネルを、より正確に表示することができる。
【００４６】
請求項８記載の発明によれば、請求項７に記載の発明と同様の効果が得られることは無論のこと、放送受信機のリモコン装置は、放送受信機において放送信号に含まれるジャンル識別データに基づき、多チャンネルが放送番組のジャンル毎に分類されたチャンネルデータを取得し、チャンネル表示手段に放送番組に対応するチャンネルをジャンル毎に表示することができる。
【００４７】
つまり、多チャンネルを放送番組のジャンル毎に分類するために、放送信号に付加されたジャンル識別データに基づいて、多チャンネルの放送番組をジャンル毎により正確に分類することが可能になるので、この放送受信機のリモコン装置は、放送番組に対応するチャンネルを、より正確にジャンル毎に表示することができる。
【００４８】
請求項９記載の発明によれば、請求項７又は８に記載の発明と同様の効果が得られることは無論のこと、放送受信機のリモコン装置は、放送受信機において放送信号に含まれる放送番組データ中のキーワードに基づき、多チャンネルが放送番組のジャンル毎に分類されたチャンネルデータを取得し、チャンネル表示手段に放送番組に対応するチャンネルをジャンル毎に表示することができる。
【００４９】
つまり、放送信号に付加されている放送番組データである、例えば、ＥＰＧ（Electronic Program Guide；電子番組案内）などに含まれているキーワードに基づいて、多チャンネルを放送番組のジャンル毎により正確に分類することが可能になるので、この放送受信
機のリモコン装置は、放送番組に対応するチャンネルを、より正確にジャンル毎に表示することができる。
【００５０】
請求項１０記載の発明によれば、請求項７〜９の何れか一項に記載の発明と同様の効果が得られることは無論のこと、放送受信機のリモコン装置は、リモコン装置において指定したジャンルに対応するチャンネルデータを、放送受信機から取得することができる。
【００５１】
つまり、所望するジャンルをリモコン装置において指定することによって、その指定したジャンルに対応するチャンネルデータが放送受信機から入力されることとなるので、放送受信機のリモコン装置は、ユーザが所望するジャンル別に放送番組に対応するチャンネルを表示することができる。
【発明を実施するための最良の形態】
【００５２】
以下、図面を参照して本発明に係る放送受信機及び放送受信機のリモコン装置の実施形態について詳細に説明する。なお、本実施の形態においては、放送受信機としてテレビ放送受信機（以下、放送受信機）、放送受信機のリモコン装置としてリモコンを挙げて説明する。
【００５３】
図１は本発明に係る放送受信機１００やリモコン３０の要部構成を示すブロック図であり、図２は本発明に係るリモコン３０の平面図である。
【００５４】
図１、図２に示すように、放送受信機１００は、放送信号を受信する受信機本体１と、受信機本体１において受信された放送信号に基づく画像や音声を出力し放送番組を放映する放送番組出力部としての表示装置２０と、受信機本体１が受信した放送信号に応じた放送番組に対応つけられたチャンネルを選択して番組を切り替えるリモコン３０等を備えている。
【００５５】
受信機本体１は、図１に示すように、所望のチャンネルに対応する周波数帯域に存在するデジタル放送信号を、アンテナ１０を介して受信する受信部としてのチューナ２と、チューナ２により受信したデジタル放送信号を復号するデコーダ３と、表示装置２０に所定のオンスクリーンディスプレイ（以下、ＯＳＤ）表示をさせるＯＳＤ回路４と、デジタル放送の各チャンネルの発信周波数やチャンネル構成情報を記憶するメモリ５と、リモコン３０と通信を行うための通信部６と、放送受信機１００の各部を制御するＣＰＵなどからなる制御部７と、を備えている。なお、この受信機本体１に、リモコン３０と同様の入力操作を可能とする操作ボタン群を備えるようにしてもよい。
【００５６】
アンテナ１０は、テレビジョン放送局から発信される高周波（ＲＦ）の符号化されたデジタル放送信号を受信する。
【００５７】
チューナ２は、アンテナ１０により受信されたデジタル放送信号の供給を受けるとともに、ユーザがリモコン３０などから入力したチャンネル選択に関する指示に応じて選局処理を行い、選択されたチャンネルに対応する周波数帯域に存在するデジタル放送信号を受信して、その放送信号を中間周波数（ＩＦ）に変調してデコーダ３に出力する。
【００５８】
つまり、チューナ２は受信可能な多チャンネルの放送に関する複数の放送信号のうち、リモコン３０などから入力されたチャンネルに応じた放送信号を選択するようにして放送番組を切り替える選局処理を行う。
【００５９】
デコーダ３は、チューナ２が受信したデジタル放送信号を復号（デコード）する。
【００６０】
ＯＳＤ回路４は、制御部７からの指令により、デコーダ３が復号した放送信号を表示装置２０に出力するとともに、受信可能なチャンネル情報などに関する所定の一覧表示（Ｏ
ＳＤ表示）を表示装置２０に表示させるためのＯＳＤ表示信号を出力する。
【００６１】
メモリ５は、各チャンネルの周波数帯域に関する情報や、チャンネル構成情報を記憶するとともに、放送受信機１００の工場出荷時にＯＳＤ表示に関する情報が記憶されている。
【００６２】
また、メモリ５は、多チャンネルの放送番組をジャンル毎に分類するためのジャンル識別データや、キーワードを記憶する。
【００６３】
通信部６は、リモコン３０と所定の信号の送受信を行うことにより、受信機本体１とリモコン３０の間で各種データの授受を行う。
【００６４】
例えば、通信部６は、リモコン３０から送信される放送番組を切り替えるためのチャンネル選択信号や、リモコン３０から送信される多チャンネルに関するジャンル指定信号や、リモコン３０から送信される多チャンネルに関するチャンネルデータの受信確認信号などを受信し、その受信した各種信号を制御部７に送出する。
【００６５】
また、通信部６は、リモコン３０から送信されたジャンル指定信号に対応する多チャンネルに関するチャンネルデータをリモコン３０に送信して出力するチャンネルデータ出力手段として機能する。
【００６６】
制御部７は、ユーザによるリモコン３０などを用いた入力操作等を受けて、放送受信機１００の各部の制御をデータバス（Data-Bus）を介して行う。
【００６７】
そして、制御部７は、ユーザによるリモコン３０などからのチャンネルを選択する入力指示により、チューナ２にそのチャンネルに対応する放送信号を受信させ、その放送信号をデコーダ３によって復号処理させるとともにＯＳＤ回路４を介して表示装置２０に出力させ、放送番組を放映する制御を行う。つまり、制御部７は、リモコン３０から送信される放送番組を切り替えるためのチャンネル選択信号の入力に基づき、チャンネルを切り替えるようにして放送番組を切り替える制御を実行する。
【００６８】
また、制御部７は、アンテナ１０やチューナ２を介して受信したデジタル放送信号に基づき、現在受信可能な放送信号に対応するチャンネルと、そのチャンネルに関する放送情報（放送番組データ、ＥＰＧ（Electronic Program Guide））を取得する制御を行う。
【００６９】
例えば、図３、図４に示すように、放送受信機１００の受信機本体１において現在受信可能な放送信号として、チャンネル番号「２−１」から「２４−３」の１５チャンネルに相当する放送信号がある場合、制御部７は、そのチャンネル番号と、チャンネル番号に対応する放送情報であるジャンルコードや番組案内のデータとからなるチャンネルマップを取得する。
【００７０】
なお、チャンネルマップにおいて、放送信号に関するチャンネル番号に対してジャンルコードと番組案内のいずれか一方が関連つけられていてもよく、また、チャンネル番号に対してジャンルコードと番組案内がともに関連つけられていてもよい。
【００７１】
また、制御部７は、リモコン３０から送信された多チャンネルに関するジャンル指定信号の入力に応じて、制御部７が取得した放送情報に基づき、多チャンネルを放送番組のジャンル毎に分類するジャンル分類制御手段として機能する。
【００７２】
特に、ジャンル分類制御手段としての制御部７は、放送信号に含まれるジャンル識別データとしてのジャンルコードに基づき、多チャンネルを放送番組のジャンル毎に分類する制御を実行する。
【００７３】
例えば、ジャンル分類制御手段としての制御部７は、ジャンルコード“Ｊ−Ｎ”はニュースジャンル、ジャンルコード“Ｊ−Ｓ”はスポーツジャンル、ジャンルコード“Ｊ−Ｄ”はドラマジャンル、ジャンルコード“Ｊ−Ｍ”は映画ジャンル、のように、各チャンネ
ルを放送番組のジャンル毎に分類する。
【００７４】
また、ジャンル分類制御手段としての制御部７は、放送信号に含まれる放送番組データ中のキーワードに基づき、多チャンネルを放送番組のジャンル毎に分類する制御を実行する。
【００７５】
例えば、ジャンル分類制御手段としての制御部７は、番組案内のデータ中のキーワードに「ニュース、報道、政治、経済、事件、事故、国際、国内・・・等」が含まれる場合はニュースジャンル、番組案内のデータ中のキーワードに「スポーツ、野球、サッカー、水泳、ゴルフ、オリンピック・・・等」が含まれる場合はスポーツジャンル、番組案内のデータ中のキーワードに「ドラマ、俳優名、主演、共演、脚本、演出、ロケ地、サスペンス・・・等」が含まれる場合はドラマジャンル、番組案内のデータ中のキーワードに「映画、ムービー、シネマ、配給会社名、劇場公開年、洋画、邦画・・・等」が含まれる場合は映画ジャンル、のように、各チャンネルを放送番組のジャンル毎に分類する。
【００７６】
また、制御部７は、ジャンル分類制御手段としての制御部７がジャンル毎に分類した多チャンネルに関するチャンネルデータを、通信部６を介してリモコン３０に送信する制御を行う。
【００７７】
表示装置２０は、図１に示すように、受信機本体１が受信した放送信号に基づく音声データに応じて音声を出力する音声出力部２１と、放送信号に基づく画像データに応じて画像を表示する画像表示部２２と、を有している。
【００７８】
音声出力部２１は、例えば、スピーカ機器であり、受信機本体１が受信した放送信号に基づく音声データに応じた音声を出力する。
【００７９】
画像表示部２２は、例えば、液晶表示機器であり、受信機本体１が受信した放送信号に基づく画像データに応じた画像や映像を表示する。
【００８０】
リモコン３０は、ユーザによる操作指示を受信機本体１に対して入力するための装置であり、受信機本体１及び表示装置２０の動作を、赤外線等を用いて指示できるように構成されている。
【００８１】
リモコン３０は、図１に示すように、各種操作キーなどが配置される操作パネル３１と、デジタル放送に関するチャンネルデータを記憶するメモリ３２と、受信機本体１と通信を行うための通信部３３と、リモコン３０の各部を制御するＣＰＵなどからなる制御部３４と、を備えている。
【００８２】
操作パネル３１は、図２に示すように、例えば、各種スイッチや操作キーなどが表示されるチャンネル表示手段としての表示部３１ａを備えている。
【００８３】
この操作パネル３１には、受信機本体１及び表示装置２０の電源をオン／オフするパワーキー３１１と、放送受信機１００のチャンネルを選択するためのチャンネルが表示されるチャンネル番号表示領域３１２と、受信機本体１及び表示装置２０のメニュー画面を呼び出すメニューキー３１３と、放送受信機１００（表示装置２０）の音声ボリュームを調整するボリュームアップ／ダウンキー３１４等が、表示部３１ａに表示されて備えている。
【００８４】
なお、操作パネル３１は、いわゆるタッチパネルスイッチとなっており、表示部３１ａに表示される各種スイッチや操作キーをタッチ入力することによって様々な指示入力、選択入力を行うことができるようになっている。
【００８５】
メモリ３２は、受信機本体１から送信された多チャンネルに関するチャンネルデータを記憶する。なお、このチャンネルデータは、受信機本体１（放送受信機１００）が受信可能な多チャンネルが、放送番組のジャンル毎に分類されたデータであり、チャンネル番号と各チャンネルの周波数帯域に関する情報が関連つけられたデータである。
【００８６】
通信部３３は、受信機本体１と所定の信号の送受信を行うことにより、リモコン３０と受信機本体１の間で各種データの授受を行う。
【００８７】
例えば、通信部３３は、ジャンル指定信号に応じて受信機本体１から送信される多チャンネルに関するチャンネルデータを受信するチャンネルデータ入力手段として機能し、その受信した信号を制御部３４に送出する。
【００８８】
また、通信部３３は、放送番組を切り替えるためのチャンネル選択信号や、多チャンネルに関するジャンル指定信号や、チャンネルに関するチャンネルデータの受信確認信号などを受信機本体１に送信する。
【００８９】
制御部３４は、リモコン３０における入力操作や、受信機本体１からの各種信号等に基づき、リモコン３０の各部の制御をデータバス（Data-Bus）を介して行う。
【００９０】
そして、制御部３４は、操作パネル３１の所定の操作キーが押下されたことに伴い、放送番組を切り替えるためのチャンネル選択信号や、多チャンネルに関するジャンル指定信号を、受信機本体１に送信する制御を実行する。
【００９１】
特に、制御部３４は、操作パネル３１に表示されるチャンネル部分に対する操作入力に応じて、チャンネル選択信号を受信機本体１に送信することで、放送受信機１００（表示装置２０）において放映される放送番組を切り替えるようにする放送番組切替信号送信制御手段として機能する。
【００９２】
また、制御部３４は、受信機本体１から送信された多チャンネルに関するチャンネルデータをメモリ３２に記憶させる制御を行う。
【００９３】
また、制御部３４は、メモリ３２に記憶されたチャンネルデータに応じて、操作パネル３１（表示部３１ａ）のチャンネル番号表示領域３１２に、チャンネル番号をジャンル毎に表示する制御を行う。
【００９４】
また、制御部３４は、受信機本体１から送信された多チャンネルに関するチャンネルデータを正常に受信した際に、チャンネルデータの受信確認信号を通信部３３を介して受信機本体１に送信する制御を行う。
【００９５】
次に、放送受信機１００において受信する放送信号に基づき、多チャンネルを放送番組のジャンル毎に分類し、リモコン３０の操作パネル３１にチャンネル番号をジャンル毎に表示する処理について、図５に示すフローチャートに基づき説明する。
【００９６】
まず、放送受信機１００の電源がオン状態となると、放送受信機１００の受信機本体１において、多チャンネルの放送信号を受信する（ステップＳ１０１）。
【００９７】
そして、リモコン３０の制御部３４が、図２に示すリモコン３０の操作パネル３１におけるメニューキー３１３が押下されたと判断すると（ステップＳ１０２；Ｙｅｓ）、操作パネル３１には、図６に示すようなジャンル入力画面が表示される（ステップＳ１０３）。なお、この操作パネル３１には、所望するジャンルを選択するためのジャンルキーが表示されるジャンル表示領域３１５が備えられている。
【００９８】
次いで、リモコン３０の制御部３４が、ジャンル表示領域３１５のジャンルキーが押下されたと判断すると（ステップＳ１０４；Ｙｅｓ）、制御部３４は、そのジャンルキーに対応するジャンル指定信号を受信機本体１に送信する（ステップＳ１０５）。なお、ここでは、スポーツジャンルキーが押下されてスポーツジャンルが選択されたものとする。
【００９９】
次いで、受信機本体１は、送信されたジャンル指定信号を受信する（ステップＳ１０６）。
【０１００】
そして、受信機本体１の制御部７は、多チャンネルを放送番組のジャンル毎に分類し（ステップＳ１０７）、選択したジャンルに関するチャンネルデータをリモコン３０に送信する（ステップＳ１０８）。なお、ここでは、選択されたスポーツジャンルに対応するチャンネル番号「２−２」、「３−２」、「９−１」、「９−２」、「１７−２」、「２４−１」のチャンネルデータが送信される。
【０１０１】
次いで、リモコン３０は、送信されたスポーツジャンルのチャンネルデータを受信する（ステップＳ１０９）。
【０１０２】
そして、リモコン３０の制御部３４は、そのチャンネルデータをメモリ３２に記憶するとともに、図７に示すように、リモコン３０の操作パネル３１のチャンネル番号表示領域３１２にそのチャンネルデータに応じたチャンネルキーを表示する（ステップＳ１１０）。
【０１０３】
なお、ステップＳ１１０において、リモコン３０がチャンネルデータを正常に受信した旨を通知するために、制御部３４はチャンネルデータの受信確認信号を受信機本体１に送信する。そして、受信機本体１の制御部７は、その受信確認信号を受信しない場合には、チャンネルデータを再送信するようになっている。
【０１０４】
次いで、リモコン３０の制御部３４が、チャンネル番号表示領域３１２のチャンネルキーが押下されたと判断すると（ステップＳ１１１；Ｙｅｓ）、制御部３４は、そのチャンネルキーに対応するチャンネル選択信号を受信機本体１に送信する（ステップＳ１１２）。
【０１０５】
次いで、受信機本体１は、送信されたチャンネル選択信号を受信する（ステップＳ１１３）。
【０１０６】
そして、受信機本体１の制御部７は、受信したチャンネル選択信号に基づき、選択されたチャンネルの放送番組に切り替えて、番組を放映する（ステップＳ１１４）。
【０１０７】
このように、放送受信機１００は、受信可能な複数の放送信号に対応する多チャンネルを放送番組のジャンル毎に分類し、そのジャンル毎に分類されたチャンネルキーをリモコン３０の操作パネル３１に表示することができるとともに、そのチャンネルキーを押下することによりチャンネルを選択することで、所定の放送信号に応じた放送番組を表示装置２０で放映するように、番組を切り替えることができる。
【０１０８】
次に、ステップＳ１０７における、多チャンネルを放送番組のジャンル毎に分類する処理について、図８に示すフローチャートに基づき説明する。
【０１０９】
受信機本体１の制御部７は、受信機本体１において現在受信可能な放送信号に関するチャンネルマップを取得する（ステップＳ２０１）。
【０１１０】
そして、制御部７は、取得したチャンネルマップにおける全てのチャンネルをチェックしたか否か判断する（ステップＳ２０２）。
【０１１１】
制御部７が、全てのチャンネルをチェックしたと判断すると（ステップＳ２０２；Ｙｅｓ）、多チャンネルのジャンル分類処理を終了する。
【０１１２】
一方、制御部７が、全てのチャンネルのチェックを終えていないと判断すると（ステップＳ２０２；Ｎｏ）、制御部７は、ジャンル指定信号に基づき、チェック対象のチャンネルは、選択されたジャンルであるか否かを判断する（ステップＳ２０３）。
【０１１３】
制御部７が、そのチャンネルは選択されたジャンルではないと判断すると（ステップＳ２０３；Ｎｏ）、ステップＳ２０５へ進む。
【０１１４】
一方、制御部７が、そのチャンネルは選択されたジャンルであると判断すると（ステップＳ２０３；Ｙｅｓ）、そのチャンネルデータをリモコン３０に送信する（ステップＳ２
０４）。なお、チェックし終えたチャンネルデータを１つ１つリモコン３０に送信してもよく、また、すべてのチャンネルのチェック後にチャンネルデータをまとめてリモコン３０に送信するようにしてもよい。
【０１１５】
そして、制御部７は、チャンネルマップにおける次のチェック対象のチャンネルのチェックを行うように移行し（ステップＳ２０５）、ステップＳ２０２に戻る。
【０１１６】
このように、本発明に係る放送受信機１００は、多チャンネルの放送信号に含まれるジャンルコードや、番組案内データ中のキーワードに基づき、多チャンネルを放送番組のジャンル毎に分類することができる。
【０１１７】
そして、所望するジャンルをリモコン３０において選択入力することによって、そのジャンルに対応するチャンネル番号のチャンネルキーがリモコン３０の操作パネル３１に表示されるようになっており、その操作パネル３１に表示されたチャンネルキーを押下することによりチャンネルを選択し、放送受信機１００の表示装置２０で放映する放送番組を切り替えることができる。
【０１１８】
つまり、放送受信機１００において受信可能な放送信号に対応するチャンネルを全てリモコン３０の操作パネル３１に表示する場合に比べ、ジャンルによって絞り込んだチャンネルを操作パネル３１に表示することによって、チャンネルや、そのチャンネルに対応する放送番組を選択しやすい。
【０１１９】
特に、本発明に係る放送受信機１００は、多チャンネルの放送信号に含まれるジャンルコードや、番組案内データ中のキーワードに基づき、多チャンネルを放送番組のジャンル毎に正確に分類することができるので、従来の受信機やリモコンなどに比べ、所望するジャンルのチャンネルを、より正確にジャンル毎に表示することが可能になっている。
【０１２０】
また、本発明に係る放送受信機１００は、多チャンネルを放送番組のジャンル毎に分類する処理を受信機本体１側で行い、その処理結果として得られたチャンネルデータをリモコン３０側に送ることで、ジャンル毎に分類されたチャンネルを、ジャンル別にリモコン３０に表示することでチャンネルキーを配設することができるので、小型のリモコン３０における処理負担を軽減することができる。
【０１２１】
なお、以上の実施の形態においては、多チャンネルのジャンルとして、「ニュース」、「スポーツ」、「ドラマ」、「映画」を例に挙げて説明したが、本発明はこれに限定されるものではなく、他に、「音楽」、「教育・学習」、「クイズ」、「バラエティ」など、いかなるジャンルを分類するようにしてよい。
【０１２２】
また、ジャンルとして「文字放送（字幕放送）」を選択することによって、文字放送（字幕放送）を行う放送番組に絞り込んで、そのチャンネルを表示するようにすれば、難聴者が好適に楽しむことができる放送番組をピックアップすることができる。
【０１２３】
また、その他、具体的な細部構造等についても適宜に変更可能であることは勿論である。
【図面の簡単な説明】
【０１２４】
【図１】本発明に係る放送受信機やリモコンの要部構成を示すブロック図である。
【図２】本発明に係るリモコンの平面図である。
【図３】チャンネルマップの一例を示す説明図である。
【図４】チャンネルマップの一例を示す説明図である。
【図５】多チャンネルを放送番組のジャンル毎に分類し、リモコンの操作パネルにチャンネル番号をジャンル毎に表示する処理を示すフローチャートである。
【図６】本発明に係るリモコンの平面図である。
【図７】本発明に係るリモコンの平面図である。
【図８】多チャンネルを放送番組のジャンル毎に分類する処理を示すフローチャートである。
【符号の説明】
【０１２５】
１      受信機本体
２      チューナ（受信部）
３      デコーダ
４      ＯＳＤ回路
５      メモリ
６      通信部（チャンネルデータ出力手段）
７      制御部（ジャンル分類制御手段）
１０    アンテナ
２０    表示装置（放送番組出力部）
２１    音声出力部
２２    画像表示部
３０    リモコン（放送受信機のリモコン装置）
３１    操作パネル（チャンネル表示手段）
３１１  パワーキー
３１２  チャンネル番号表示領域（チャンネル表示手段）
３１３  メニューキー
３１４  ボリュームキー
３１５  ジャンル表示領域
３２    メモリ
３３    通信部（チャンネルデータ入力手段）
３４    制御部（放送番組切替信号送信制御手段）
１００  放送受信機
【図１】
2006352773.tif 000003
【図２】
2006352773.tif 000004
【図３】
2006352773.tif 000005
【図４】
2006352773.tif 000006
【図５】
2006352773.tif 000007
【図６】
2006352773.tif 000008
【図７】
2006352773.tif 000009
【図８】
2006352773.tif 000010